(57)【特許請求の範囲】
【請求項１】
充填剤が充填されるブロック内空間が形成された建設用ブロックが複数積層され、各建設用ブロックが、互いの間に前記ブロック内空間を画成するように対向配置された一対の板部と、前記一対の板部どうしを連ねる連結部とを備え、前記一対の板部の少なくとも一方には、外面から前記ブロック内空間へ貫通する窓孔が形成されており、
各建設用ブロックにおける前記板部の外面には網状体及び表面補強層が設けられ、前記網状体が、前記表面補強層に埋められるとともに前記窓孔に被さり、前記表面補強層には、前記窓孔に連なる開口部が形成されていることを特徴とする建設用ブロック構造体。
【発明の詳細な説明】
【技術分野】
【０００１】
本発明は、建設用ブロック、及び該ブロックを含むブロック構造体に関し、例えば塀、柵、その他の外構等に適用される建設用ブロック及びブロック構造体に関する。
【背景技術】
【０００２】
例えば、特許文献１には、住宅の敷地の塀等を発泡樹脂製のブロックにて構築することが記載されている。このブロックは、一対の板部と、連結部（梁部）を備えている。一対の板部は、互いに離れて対向配置されている。これら板部どうしが連結部によって一対の板部どうしが連結されている。連結部は、概略楕円形の断面に形成されている。
【０００３】
複数のブロックが上下に積層される。一対の板部どうし間のブロック内空間には、モルタル（充填剤）が充填される。モルタルによってブロック塀としての重量が確保されている。
【先行技術文献】
【特許文献】
【０００４】
【特許文献１】特開２０１３−２１７１４３号公報
【発明の概要】
【発明が解決しようとする課題】
【０００５】
前掲特許文献１においては、連結部の断面を概略楕円形に形成することによって、モルタルがブロック内空間の特に連結部の周囲に万遍なく充填されるようにしている。
しかし、実際にモルタルが万遍なく充填されたか否かを確認するのは容易でない。特に、連結部の下側の空間等は、ブロックの上方からは連結部に隠れて見えないために確認が困難である。
本発明は、かかる事情に鑑み、ブロック内空間にモルタル等の充填剤が万遍なく充填されたか否かを確認可能にすることを目的とする。
【課題を解決するための手段】
【０００６】
前記問題点を解決するために、本発明は、充填剤が充填されるブロック内空間が形成された建設用ブロックであって、
互いの間に前記ブロック内空間を画成するように対向配置された一対の板部と、
前記一対の板部どうしを連ねる連結部と、
を備え、前記一対の板部の少なくとも一方には、外面から前記ブロック内空間へ貫通する窓孔が形成されていることを特徴とする。
この建設用ブロックによれば、ブロック内空間にモルタル等の充填剤を充填する際、充填剤が万遍なく充填されているか否かを、窓孔を通して目視によって確認することができる。
【０００７】
前記連結部が、前記板部の周縁部より内側部に配置され、
前記窓孔が、前記少なくとも一方の板部の１の長辺縁部と前記連結部との間に配置されていることが好ましい。
これによって、建設用ブロックの前記長辺縁部と前記連結部との間に充填剤が充填されているか否かを、窓孔を通して目視によって確認することができる。
前記建設用ブロックが板部の短手方向を上下に向け、かつ前記長辺縁部を下側に向けて配置された場合、前記窓孔が前記連結部の下側に位置することで、連結部の下側のブロック内空間に充填剤が充填されたか否かを目視によって確認することができる。
複数の建設用ブロックが、板部の短手方向を上下に向けて積層された場合、上下に隣接する建設用ブロックのうち何れかの窓孔が、これら上下の建設用ブロックの連結部どうしの間に位置することで、当該上下の連結部どうしの間のブロック内空間に充填剤が充填されたか否かを目視によって確認することができる。各ブロックにおける前記窓孔は、前記板部の上側の長辺縁部と前記連結部との間に設けられていてもよく、前記板部の下側の長辺縁部と前記連結部との間に設けられていてもよい。
【０００８】
また、本発明に係る建設用ブロック構造体は、前記建設用ブロックが複数積層され、
各建設用ブロックにおける前記板部の外面には網状体及び表面補強層が設けられ、前記網状体が、前記表面補強層に埋められるとともに前記窓孔に被さり、前記表面補強層には、前記窓孔に連なる開口部が形成されていることを特徴とする。
表面補強層に開口部を設けておくことで、窓孔が塞がるのを防止でき、ブロック内空間に充填剤が充填されているか否かを前記開口部及び窓孔を通して確実に目視することができる。網状体は、窓孔に被さっていても、ブロック内空間の目視の障害にはならない。また、網状体によって、充填剤が充填時〜未硬化の期間に窓孔から漏れ出るのを防止することができる。
【発明の効果】
【０００９】
本発明によれば、ブロック内空間にモルタル等の充填剤が万遍なく充填されているか否かを、窓孔を通して目視によって確実に確認することができる。
【図面の簡単な説明】
【００１０】
【図１】図１は、本発明の一実施形態に係る建設用ブロック構造体の斜視図である。
【図２】図２は、前記建設用ブロック構造体を構成する建設用ブロックの斜視図である。
【図３】図３（ａ）は、図４（ａ）のＩＩＩａ−ＩＩＩａ線に沿う、前記建設用ブロックの正面図である。図３（ｂ）は、図４（ｂ）のＩＩＩｂ−ＩＩＩｂ線に沿う、前記建設用ブロックの正面断面図である。
【図４】図４（ａ）は、図３（ａ）のＩＶａ−ＩＶａ線に沿う、前記建設用ブロックの側面図である。図４（ｂ）は、図３（ｂ）のＩＶｂ−ＩＶｂ線に沿う、前記建設用ブロックの側面断面図である。
【図５】図５は、前記建設用ブロックを複数段積層してなるブロック積層体の正面図である。
【図６】図６は、図７のＶＩ−ＶＩ線に沿う、前記ブロック積層体の正面断面図である。
【図７】図７は、図５のＶＩＩ−ＶＩＩ線に沿う、前記ブロック積層体及び表面補強層を含むブロック構造体の側面断面図である。
【図８】図８は、図７の円部ＶＩＩＩを拡大して示す断面図である。
【発明を実施するための形態】
【００１１】
以下、本発明の一実施形態を図面にしたがって説明する。
図１に示すように、住宅敷地の基礎Ｂの上に建設用ブロック構造体１が設置されている。ブロック構造体１は、例えば住宅の名称板用の壁を構成している。ブロック構造体１の内部に鉄筋６が配筋されるとともに、モルタル５（充填剤）が充填されている。図示は省略するが、ブロック構造体１の外面には、化粧タイルが貼り付けられ、化粧タイルに名称板が取り付けられる。
【００１２】
図７に示すように、ブロック構造体１は、ブロック積層体２と、網状体３と、表面補強層４を含む。図５に示すように、ブロック積層体２は、複数の建設用ブロック１０，１０…を含む。ブロック１０は、発泡スチロール等の発泡樹脂にて構成されており、一般的なコンクリート製のブロックよりも十分に軽量である。発泡樹脂の樹脂材質としては、ポリスチレンの他、ポリウレタン、ポリエチレン、ポリプロピレン、フェノール樹脂、ポリ塩化ビニル、ユリア樹脂等であってもよい。
【００１３】
複数のブロック１０，１０…が上下に積層されることによって、ブロック積層体２が構成されている。上下に隣接するブロック１０，１０どうしは、接着剤等で接合されている。これによって、複数段のブロック１０，１０…どうしが一体化されている。
なお、ブロック１０，１０…どうしは、少なくとも施工現場で積層されるまでの間は接合されずに互いに分離可能であってもよい。
【００１４】
図２に示すように、各ブロック１０は、一対の板部１１，１１と、連結部１３を一体に有している。図３に示すように、板部１１は、横長の四角形の平板状になっている。板部１１の短辺に沿う短手方向が鉛直（上下）に向けられている。図４に示すように、一対の板部１１，１１は、互いに水平方向（図４において左右）に離れて対向配置されている。
【００１５】
図４に示すように、各ブロック１０の板部１１の上端部には段差１１ｆが形成されている。板部１１の下端部には段差１１ｇが形成されている。図３に示すように、これら段差１１ｆ，１１ｇは、板部１１の全長にわたって延びている。図７に示すように、ブロック構造体１において上下に隣接する２つのブロック１０，１０のうち、下段のブロック１０の段差１１ｆと、上段のブロック１０の段差１１ｇとが互いに噛み合っている。
【００１６】
図４に示すように、各ブロック１０の一対の板部１１，１１の対向面１１ａ，１１ａどうしの間にブロック内空間２０が画成されている。
図６に示すように、ブロック積層体２において、上下に隣接するブロック１０，１０のブロック内空間２０，２０どうしが一体に連なっている。ひいては、すべてのブロック１０，１０…のブロック内空間２０，２０…どうしが一体に連なっている。これらブロック内空間２０，２０…によって、積層ブロック内連続空間２ａが構成されている。
【００１７】
図４に示すように、各ブロック１０には２つ（複数）の連結部１３，１３が設けられている。これら連結部１３，１３によって、一対の板部１１，１１どうしが連ねられている。図３に示すように、連結部１３は、板部１１の周縁部より内側部に配置されている。２つ（複数）の連結部１３，１３は、板部１１の長手方向（図３において左右方向）へ互いに離れて配置されている。図３（ｂ）に示すように、連結部１３を対向面１１ａと平行な面に沿って切断した断面形状は、概略楕円形状ないしは長円形状になっている。連結部１３の前記断面の長軸は、板部１１の長手方向へ向けられ、短軸は、板部１１の短手方向へ向けられている。
なお、各ブロック１０の連結部１３の数は、２つに限られず、１つだけでもよく、３つ以上でもよい。
【００１８】
図３に示すように、ブロック１０における板部１１，１１には、それぞれ２つ（複数）の窓孔１４，１４が形成されている。図４（ｂ）に示すように、各窓孔１４は、板部１１の外面から対向面１１ａへ貫通し、ブロック内空間２０に連なっている。図３に示すように、窓孔１４の正面視の寸法は、例えば縦横１０×１０ｍｍ〜２０×２０ｍｍ程度である。窓孔１４が小さ過ぎると、ブロック１０の内部を覗きにくい。窓孔１４が大き過ぎると、充填時のモルタル５が漏れ出やすくなる。窓孔１４，１４は、連結部１３，１３と一対一に対応している。詳しくは、各窓孔１４は、板部１１の下側の長辺縁部１１ｅ（１の長辺縁部）と、連結部１３との間に配置されている。要するに、各連結部１３の下側に窓孔１４が配置されている。窓孔１４は、連結部１３の下側のブロック内空間２０と連通している。
【００１９】
図７及び図８に示すように、板部１１の外面には、網状体３及び表面補強層４が設けられている。網状体３及び表面補強層４によって板部１１が覆われている。網状体３は、金網にて構成されているが、樹脂製の網であってもよい。表面補強層４は、セメント、モルタル等にて構成されている。表面補強層４が、ポリマーを添加したポリマーセメントにて構成されていてもよい。表面補強層４は、網状体３の網目に入り込んで板部１１に密着されるとともに、網状体３よりも表側に露出する厚みになっている。表面補強層４の内部に網状体３が埋設されている。表面補強層４によって発泡樹脂製のブロック１０が補強されている。
なお、網状体３及び表面補強層４は、ブロック１０ごとに別々になっていてもよく、複数のブロック１０，１０…ひいてはブロック積層体２の全体にわたって一体になっていてもよい。
【００２０】
図１及び図８に示すように、網状体３は、窓孔１４にも被さっている。
一方、表面補強層４における窓孔１４と対応する部分には、開口部４ｅが形成されている。開口部４ｅの内部に網状体３が露出している。開口部４ｅが、網状体３の網目を通して窓孔１４に連なっている。
【００２１】
図１に示すように、ブロック構造体１の積層ブロック内連続空間２ａひいては各ブロック内空間２０にモルタル５（充填剤）が充填されている。モルタル５の比重は、ブロック１０を構成する発泡樹脂の気泡を含む比重よりも十分に大きい。
なお、充填剤は、モルタル５の他、セメントミルクや樹脂材等であってもよい。
【００２２】
図６において二点鎖線にて示すように、モルタル５に３つ（複数）の鉄筋６，６…が埋設されている。鉄筋６は、ブロック積層体２内における連結部１３よりも両外側部と、連結部１３，１３どうしの間とにそれぞれ配置され、ブロック積層体２を鉛直に貫通している。鉛直鉄筋６の下端部は、基礎Ｂに定着されている。
【００２３】
建設用ブロック構造体１は、次のようにして構築される。
工場において、複数のブロック１０，１０…を発泡成形する。これらブロック１０，１０…を接着剤を介して積層一体化することによって、ブロック積層体２を作る。各ブロック１０ひいてはブロック積層体２の外面には、網状体３を被せる。更に、表面補強層４を塗り付け、網状体３を表面補強層４内に埋設する。
【００２４】
ブロック構造体１の施工現場においては、基礎Ｂを構築する。基礎Ｂ上に鉛直鉄筋６，６…を立設させておく。これら鉛直鉄筋６，６…をブロック積層体２の内部に挿通させながら、基礎Ｂ上にブロック積層体２を据え付ける。ブロック積層体２における複数のブロック１０，１０…が分離不能であっても、軽量な発泡樹脂製であるために、持ち運び、据え付け等の作業に支障は生じない。
【００２５】
続いて、積層ブロック内連続空間２ａの上端の開口からモルタル５を空間２ａの内部に流し込む。
このとき、窓孔１４からブロック１０の内部を覗くことで、モルタル５がブロック内空間２０に万遍なく充填されているかを確認できる。特に、各連結部１３の下側、ないしは上下のブロック１０，１０の連結部１３，１３どうし間の空間部分２４（図６）には、モルタル５が充填されにくい。これら難充填空間部分２４に対応する位置に窓孔１４を設けておくことによって、難充填空間部分２４にモルタル５が充填されているか否かを、窓孔１４を通して目視によって確実に確認することができる。
【００２６】
表面補強層４には開口部４ｅを設けておくことで、窓孔１４による確認作業が出来なくなるのを防止できる。
網状体３は、網目があるために、窓孔１４に被さっていても、窓孔１４からの確認作業の障害にはならない。
【００２７】
確認の結果、充填が不十分なときは、例えばブロック構造体１を外側から叩くことで、モルタル５を連結部１３の下側等の難充填空間部分２４にも行き渡らせることができる。
また、モルタル５の充填に伴って、ブロック内空間２０内の空気を窓孔１４から外部に排出できる。特に、難充填空間部分２４の空気を窓孔１４から外部へ排出でき、難充填空間部分２４に空気溜まりが形成されるのを防止できる。この結果、モルタル５の充填作業を円滑に行なうことができる。
モルタル５がブロック内空間２０に充填されると、窓孔１４がモルタル５によって塞がれる。このとき、網状体３によってモルタル５が窓孔１４から外部に漏れ出るのを防止又は抑制できる。
【００２８】
その後、ブロック積層体２の外面に接着剤層を介して化粧タイル（図示せず）を貼り付け、名称板を取り付ける。
ブロック構造体１によれば、ブロック内空間２０ひいては積層ブロック内連続空間２ａに重比重のモルタル５を充填することによって、ブロック１０が軽量な発泡樹脂製であっても、所要重量を確保することができる。
【００２９】
本発明は、前記実施形態に限られず、その趣旨を逸脱しない範囲内で種々の改変をなすことができる。
例えば、窓孔１４は、ブロック１０における少なくとも一方の板部１１に形成されていればよく、他方の板部１１には形成されていなくてもよい。
窓孔１４が、板部１１における上側の長辺縁部（もう１つの長辺縁部）と連結部１３との間に設けられていてもよい。窓孔１４が、板部１１における、連結部１３を挟んで上下両側に設けられていてもよい。
複数のブロック１０，１０…からなるブロック積層体２を一体に発泡樹脂成形してもよい。
建設用ブロック構造体１は、名称板や塀等の建築構造物だけでなく、道路の縁石等の土木構造物にも適用できる。
ブロック１０の材質は、発泡スチロール等の発泡樹脂に限られず、気泡の無い樹脂であってもよく、コンクリートであってもよい。
【産業上の利用可能性】
【００３０】
本発明のブロックは、例えば、名称板や塀などに適用できる。
【符号の説明】
【００３１】
１          建設用ブロック構造体
Ｂ          基礎
２          ブロック積層体
２ａ        積層ブロック内連続空間
３          網状体
４          表面補強層
４ｅ        開口部
５          モルタル（充填剤）
６          鉛直鉄筋
１０        建設用ブロック
１１        板部
１１ａ      対向面
１１ｅ      下縁部（１の長辺縁部）
１１ｆ      段差
１１ｇ      段差
１３        連結部
１４        窓孔
２０        ブロック内空間
２４        難充填空間部分
【図１】
0006709598.tif 000002
【図２】
0006709598.tif 000003
【図３】
0006709598.tif 000004
【図４】
0006709598.tif 000005
【図５】
0006709598.tif 000006
【図６】
0006709598.tif 000007
【図７】
0006709598.tif 000008
【図８】
0006709598.tif 000009